(57)【要約】【課題】設置空間の縦横方向に合わせてダクト接続部を設置することができる換気扇を得ること。【解決手段】下面が開口した箱状を呈する換気扇本体の側面に係合し、換気扇本体をダクト７ａ，７ｂに接続するダクト接続部２ａ，２ｂと、ダクト接続部２ａ，２ｂを野縁８０に固定する固定部品４ｂと、換気扇本体の下面を覆う化粧パネルとを有し、ダクト接続部２ａ，２ｂは、換気扇本体の側面板体に当接するダクト接続板と、ダクト接続板の下端部から垂直に立ち上がる天井当たり面とを有し、天井当たり面は、下側の開口寸法が上側の開口寸法よりも大きい貫通穴である固定部品取付穴２８ａ，２８ｂが設けられており、固定部品４ｂは、固定部品取付穴２８ａ，２８ｂの内面に少なくとも二箇所で接する側面を有し、固定部品取付穴を貫通しない形状であり、長穴形状の締結部材貫通穴が設けられており、ダクト接続部２ａ，２ｂは、固定部品４ｂと野縁との間に挟持される。【選択図】図３
2018021739.tif 000002
【特許請求の範囲】
【請求項１】
下面が開口した箱状を呈する換気扇本体と、
前記換気扇本体の側面に対してスライドすることによって前記換気扇本体に係合し、該換気扇本体をダクトに接続するダクト接続部と、
前記ダクト接続部を野縁に固定する固定部品と、
前記換気扇本体に装着されて該換気扇本体の下面を覆う化粧パネルとを有し、
前記ダクト接続部は、前記換気扇本体の側面板体に当接するダクト接続板と、前記ダクト接続板の下端部から垂直に立ち上がる天井当たり面とを有し、
前記天井当たり面は、下側の開口寸法が上側の開口寸法よりも大きい貫通穴である固定部品取付穴が設けられており、
前記固定部品は、前記固定部品取付穴の内面に少なくとも二箇所で接する側面を有し、前記固定部品取付穴を貫通しない形状であり、長穴形状の締結部材貫通穴が設けられており、
前記ダクト接続部は、前記固定部品と前記野縁との間に挟持されることを特徴とする換気扇。
【請求項２】
前記固定部品は、円錐台形形状であり、前記固定部品取付穴の前記内面は、前記固定部品の側面と面接触する形状であることを特徴とする請求項１に記載の換気扇。
【請求項３】
前記固定部品は、円錐台形形状であり、
前記固定部品取付穴は長穴状であり、
前記固定部品取付穴の前記内面は、前記固定部品取付穴の両端部では前記固定部品の側面と面接触し、前記固定部品取付穴の中間部では、前記固定部品の側面と二箇所で線接触する形状であることを特徴とする請求項１に記載の換気扇。
【発明の詳細な説明】
【技術分野】
【０００１】
本発明は、天井の開口部に設置される換気扇に関する。
【背景技術】
【０００２】
ダクト用の換気扇は天井の開口部に設置され、室内空気を換気する。ダクト用の換気扇の換気扇本体には、室内側に吸込口が設置され、天井の裏側には室外に通じるダクトが接続されるダクト接続部が設置される。ダクト用の換気扇は、吸込口から吸い込んだ空気をダクト接続部からダクトに吐出する。
【０００３】
ダクト用の換気扇は、ダクト接続部を換気扇本体と係脱自在に構成して、まず、ダクト接続部を天井に仮固定した後、換気扇本体をダクト接続部に沿って据付ける順番で据付ける方法が多く利用されている。特許文献１には、上記の据付方法を実現するため、換気扇本体の天板の両端部分にガイド及び係止機能を有する突起を突出させて設けた構成が開示されている。
【先行技術文献】
【特許文献】
【０００４】
【特許文献１】特許第４５０３３２３号公報
【発明の概要】
【発明が解決しようとする課題】
【０００５】
特許文献１に開示された換気装置では、換気扇本体を天井に据付ける場合、ダクト接続部を先に天井の開口部の側縁に仮固定した後、ダクト接続部にスライドさせながら換気扇本体を天井の開口部に挿入することにより、換気扇本体をダクト接続部に沿って据え付けることができる。このとき、ダクト接続部を仮固定する穴は長穴であるため、長穴の方向にのみ微調整が可能である。したがって、ダクト接続部の向きが部屋又は廊下といった設置空間の縦横方向と一致せず斜めに取付られてしまい、換気扇本体も設置空間の縦横方向に対して斜めに取り付けられてしまう可能性がある。
【０００６】
ダクト接続部が複数ある換気扇では、ダクト接続部の微調整がさらに難しく、設置空間の縦横方向に対して換気扇本体が斜めに取り付けられてしまう可能性が高くなってしまっていた。
【０００７】
設置空間の縦横方向に対して換気扇本体が斜めに取り付けられると、換気扇本体に装着される本体化粧パネルも設置空間の縦横方向に対して斜めになり、外観が悪くなってしまう。
【０００８】
本発明は、上記に鑑みてなされたものであって、設置空間の縦横方向に合わせてダクト接続部を設置することができる換気扇を得ることを目的とする。
【課題を解決するための手段】
【０００９】
上述した課題を解決し、目的を達成するために、本発明は、下面が開口した箱状を呈する換気扇本体と、換気扇本体の側面に対してスライドすることによって換気扇本体に係合し、換気扇本体をダクトに接続するダクト接続部と、ダクト接続部を野縁に固定する固定部品と、換気扇本体に装着されて換気扇本体の下面を覆う化粧パネルとを有する。ダクト接続部は、換気扇本体の側面板体に当接するダクト接続板と、ダクト接続板の下端部から垂直に立ち上がる天井当たり面とを有し、天井当たり面は、下側の開口寸法が上側の開口寸法よりも大きい貫通穴である固定部品取付穴が設けられている。固定部品は、固定部品取付穴の内面に少なくとも二箇所で接する側面を有し、固定部品取付穴を貫通しない形状であり、長穴形状の締結部材貫通穴が設けられている。ダクト接続部は、固定部品と前記野縁との間に挟持される。
【発明の効果】
【００１０】
本発明によれば、設置空間の縦横方向に合わせてダクト接続部を設置することができる換気扇を得ることができるという効果を奏する。
【図面の簡単な説明】
【００１１】
【図１】本発明の実施の形態に係る換気扇の概略構成を示す断面図
【図２】実施の形態に係る換気扇の換気扇本体へのダクト接続部の取り付け方を示す斜視図
【図３】実施の形態に係る換気扇におけるダクト接続部を仮固定する形状の斜視図
【図４】実施の形態に係る換気扇のダクト接続部を仮固定する形状の拡大図
【図５】実施の形態に係る換気扇のダクト接続部の仮固定位置及び角度の調整方法を示す図
【図６】実施の形態に係る換気扇のダクト接続部の別の構造例を示す図
【図７】実施の形態に係る換気扇の別の構造例のダクト接続部での仮固定位置及び角度の調整方法を示す図
【発明を実施するための形態】
【００１２】
以下に、本発明の実施の形態に係る換気扇を図面に基づいて詳細に説明する。なお、この実施の形態によりこの発明が限定されるものではない。
【００１３】
実施の形態．
図１は、本発明の実施の形態に係る換気扇の概略構成を示す断面図である。図２は、実施の形態に係る換気扇の換気扇本体へのダクト接続部の取り付け方を示す斜視図である。図３は、実施の形態に係る換気扇のダクト接続部を仮固定する状態の斜視図である。図４は、実施の形態に係る換気扇のダクト接続部を仮固定する形状の拡大図であり、図４（ａ）は、断面図であり、図４（ｂ）は分解斜視図である。図１中の白抜きの矢印は空気の流れを示している。
【００１４】
図１に示すように、換気扇１００は、ダクト用であり、換気扇本体１と、換気扇本体１に取り付けられたダクト接続部２ａ，２ｂとを有する。
【００１５】
換気扇本体１は、設置状態における下面となる一面が開口した箱状を呈している。換気扇本体１の開口側には、換気扇本体１を天井９０にねじ固定するためのねじ穴が形成されたフランジ４２が設けられ、開口した一面は本体化粧パネル３１によって覆われている。
【００１６】
換気扇本体１は、換気する空気を流通させる換気駆動体である多翼式送風機５と、多翼式送風機５を収納するとともに風路を形成するファンケーシング３とを有している。多翼式送風機５は、電動機５１と、電動機５１の駆動軸に差込結合されたファン５２とで構成されている。
【００１７】
換気扇１００は、多室用であり、排気用のダクト接続部２ａと、他室吸込用のダクト接続部２ｂとの二つのダクト接続部を有している。ダクト接続部２ａは、換気扇本体１の側面に当接するダクト接続板２１ａと、ダクト接続板２１ａから垂直に突出した筒状のダクト接続口２２ａと、ダクト接続板２１ａの下端部から垂直に立ち上がる天井当たり面２７ａとを有している。ダクト接続部２ｂは、換気扇本体１の側面に当接するダクト接続板２１ｂと、ダクト接続板２１ｂから垂直に突出した筒状のダクト接続口２２ｂと、ダクト接続板２１ｂの下端部から垂直に立ち上がる天井当たり面２７ｂとを有している。天井当たり面２７ａには、固定部品取付穴２８ａが設けられている。天井当たり面２７ｂには、固定部品取付穴２８ｂが設けられている。固定部品取付穴２８ａ，２８ｂは、下側の開口寸法が上側の開口寸法よりも大きい貫通穴である。固定部品取付穴２８ａ，２８ｂの側面は、円錐台形の側面と同じ形状である。ダクト接続口２２ａは、ダクト接続板２１ａの中央に形成された開口部と連通している。ダクト接続口２２ｂは、ダクト接続板２１ｂの中央に形成された開口部と連通している。
【００１８】
排気用のダクト接続口２２ａは、吐出口６ａを形成するものであって、ダクト７ａに接続されている。また、他室吸込用のダクト接続口２２ｂは、吸込口６ｂを形成するものであって、ダクト７ｂに接続され、他室に通じている。すなわち、ダクト７ｂは、他室に設置された副吸い込み化粧パネル３２から吸い込んだ空気の通気経路となっている。
【００１９】
ダクト接続口２２ａは、ダクト７ａの内部に挿入自在な径小部であるダクト挿入部２３ａを備えた段付きの構成である。ダクト接続口２２ａは、先端が吐出口６ａをなしており、ダクト７ａに連通する長さを有する。ダクト接続口２２ｂは、先端が吐出口６ｂをなしており、ダクト７ｂに連通する長さを有する。ダクト接続口２２ｂは、ダクト７ｂの内部に挿入自在な径小部であるダクト挿入部２３ｂを備えた段付きの構成である。したがって、ダクト接続口２２ａ，２２ｂは、径の異なるダクト７ａ，７ｂにも接続することができる。また、ダクト７ａ，７ｂとダクト接続口２２ａ，２２ｂとを接続する際に、ダクト７ａ，７ｂの先端とダクト接続口２２ａ，２２ｂの先端とを突き合わせる必要がないため、ダクト７ａ，７ｂとダクト接続口２２ａ，２２ｂとの隙間のテーピング作業性が良好である。
【００２０】
ダクト接続口２２ａ，２２ｂ内には、風圧によって開閉するシャッター２４ａ，２４ｂが設けられている。シャッター２４ａ，２４ｂは、換気扇１００の運転時には風圧で開いてダクト接続口２２ａ，２２ｂを開放し、換気扇１００の停止時には自重でダクト接続口２２ａ，２２ｂを閉塞する。なお、シャッター２４ａ，２４ｂは、電動式であってもよい。
【００２１】
シャッター２４ａ，２４ｂを設けることで、換気扇１００の停止時に屋外からの外風及び他室からの空気の流入を防止できる。
【００２２】
本体化粧パネル３１及び副吸い込み化粧パネル３２は、樹脂製の一体成形物である。本体化粧パネル３１は、換気扇本体１に装着されて換気扇本体１の下面を覆う化粧パネルである。本体化粧パネル３１及び副吸い込み化粧パネル３２は、換気扇１００の意匠性の向上及びファン５２への異物混入を実現している。
【００２３】
一般の建屋の工事手順では、建屋の天井９０が張られる前に天井９０の内部のダクト配管の施工がなされるため、換気扇１００のダクト接続部２ａ，２ｂのみが先に野縁８０に取り付けられ、換気扇本体１は天井９０の設置後に取り付けられる。
【００２４】
図２に示すように、換気扇本体１の天板には、ダクト接続部２ａが取り付けられる側面である本体側板１１ａの延長上に、一対の本体引掛突起１２が設けられている。一方、ダクト接続部２ａのダクト接続板２１ａの上縁には、換気扇本体１の本体側板１１ａ側に突出するダクト接続部フランジ２５ａが形成されている。ダクト接続部フランジ２５ａは、吐出口６ａとは逆方向に突出しているとも言える。ダクト接続部フランジ２５ａには、一対のダクト接続部引掛孔２６ａが形成されている。本体側板１１ａとダクト接続板２１ａとを当接させた状態で換気扇本体１を下から上にダクト接続部２ａに対してスライドさせることで、本体引掛突起１２がダクト接続部引掛孔２６ａを貫通し、ダクト接続部２ａは換気扇本体１に係合する。すなわち、換気扇本体１に対して相対的に上から下にダクト接続部２ａをスライドすることによって、換気扇本体１とダクト接続部２ａとが係合する。換気扇本体１に係合したダクト接続部２ａは、換気扇本体１をダクト７ａに接続する。なお、ここでは説明を省略するが、ダクト接続部２ｂと換気扇本体１との係合も同様の手順で行われ、換気扇本体１に係合したダクト接続部２ｂは、換気扇本体１をダクト７ｂに接続する。
【００２５】
図３に示すように、ダクト接続部２ａ，２ｂは、固定部品４ｂを用いて締結部材である木ねじ４ｃで野縁８０に仮固定される。すなわち、木ねじ４ｃを完全に締結せず、固定部品４ｂと固定部品取付用穴２８ａ，２８ｂの内面との間に遊びが存在する状態にしておく。したがって、換気扇本体１とダクト接続部２ａ，２ｂとを係合させる際には、締結部材貫通穴４ａに沿った方向にダクト接続部２ａ，２ｂの位置を調整可能である。設置空間の縦横方向に対して傾きが無い状態であることを確認した後に木ねじ４ｃを締結することで、ダクト接続部２ａ，２ｂを設置空間の縦横方向に対して傾きが無い状態で固定できる。すなわち、固定部品取付穴２８ａに配置された固定部品４ｂが締結部材貫通穴４ａを貫通した木ねじ４ｃによって野縁８０に固定された状態では、ダクト接続部２ａは、固定部品４ｂと野縁８０との間に挟持される。
【００２６】
図４（ａ）及び図４（ｂ）に示すように、ダクト接続部２ａ，２ｂは、長穴形状の締結部材貫通穴４ａが形成された固定部品４ｂによって野縁８０に仮固定される。固定部品４ｂは、固定部品取付穴２８ａの内面に少なくとも二箇所で接する側面を有し、固定部品取り付け穴２８ａを貫通しない形状である。固定部品４ｂの形状の例には、円錐台形形状を挙げることができるが、固定部品４ｂは、円錐台形形状には限定されない。以下の説明では、固定部品４は、側面が固定部品取付穴２８ａに面接触する円錐台形形状であるとする。したがって、固定部品取付穴２８ａに配置された固定部品４ｂが締結部材貫通穴４ａを貫通した木ねじ４ｃによって野縁８０に固定された状態では、固定部品４の側面と固定部品取り付け穴２８ａの内面とは面接触する。図５は、実施の形態に係る換気扇のダクト接続部の仮固定位置及び角度の調整方法を示す図である、図５（ａ）及び図５（ｂ）に示すように、ダクト接続部２ａ，２ｂの固定部品取付穴２８ａに配置した固定部品４ｂを矢印Ａに示すように回転させることで、ダクト接続部２ａ、２ｂの仮固定位置及び角度を微調整可能である。
【００２７】
図６は、実施の形態に係る換気扇のダクト接続部の別の構造例を示す図である。図６に示すように、ダクト接続部２ａ，２ｂの固定部品取付穴２８ａを長穴で形成してもよい。この場合、固定部品取付穴２８ａの内面は、固定部品取付穴２８ａの両端部では固定部品４ｂの側面と面接触し、固定部品取付穴２８ａの中間部では、固定部品４ｂの側面と二箇所で線接触する形状とする。図７は、実施の形態に係る換気扇の別の構造例のダクト接続部での仮固定位置及び角度の調整方法を示す図である。図７に示すように、固定部品取付穴２８ａを長穴にすることで、固定部品４ｂは、矢印Ｂに沿って回転させるとともに矢印Ｃに沿ってスライドさせることができるため、調整範囲を広げることができる。
【００２８】
上記の説明は、他の室が１室である多室用の換気扇１００について説明しているが、本発明は他の室の数を１室に限定するものではなく、また、他の室が無いものであってもよい。すなわち、他の室が無い場合には、換気扇本体１の側面は、ダクト接続部２ａが取り付けられる箇所以外が塞がれた構造となり、ダクト接続部２ｂは換気性本体１に取り付けられない構造となる。また、他の室が２室以上ある場合には、換気扇本体１は、ダクト接続部２ｂが取り付けられる換気扇本体１の側面とは別の側面に開口が設けられ、ダクト接続部２ｂと同様のダクト接続部が取り付けられることになる。
【００２９】
実施の形態に係る換気扇は、ダクト接続部の仮固定用の穴部の細工でダクト接続部が建物の投影面に対して正対させることができるため、業務用及び一般家庭用の換気扇に広く利用することができる。特に、戸建住宅及び集合住宅といった施工上の制約がある建屋への設置が容易である。
【００３０】
上記の説明においては、固定部品４ｂは円錐台形形状であるとしたが、固定部品４ｂを正多角形錐台形形状にし、固定部品取付用穴２８ａ，２８ｂを固定部品４ｂと同じ大きさの正多角形錐台形形状の穴にしてもよい。固定部品４ｂ及び固定部品取付用穴２８ａ，２８ｂを正多角形錐台形状にした場合は、ダクト接続部２ａ，２ｂの向きの調整は、無段階でなく、正多角形の内角数により定まる角度ピッチでの調整となるが、固定部品取付用穴２８ａ，２８ｂの内角で固定部品４ｂの位置が規制されるため、木ねじ４ｃを締結する際にダクト接続部２ａ，２ｂの向きが変わってしまうことを防止できる。
【００３１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３２】
１  換気扇本体、２ａ，２ｂ  ダクト接続部、３  ファンケーシング、４ａ  締結部材貫通穴、４ｂ  固定部品、４ｃ  木ねじ、５  多翼式送風機、６ａ  吐出口、６ｂ  吸込口、７ａ，７ｂ  ダクト、１１ａ  本体側板、１２  本体引掛突起、２１ａ，２１ｂ  ダクト接続板、２２ａ，２２ｂ  ダクト接続口、２３ａ，２３ｂ  ダクト挿入部、２４ａ，２４ｂ  シャッター、２５ａ  ダクト接続部フランジ、２６ａ  ダクト接続部引掛孔、２７ａ，２７ｂ  天井当たり面、２８ａ，２８ｂ  固定部品取付穴、３１  本体化粧パネル、３２  副吸い込み化粧パネル、４２  フランジ、５１  電動機、５２  ファン、８０  野縁、９０  天井、１００  換気扇。
【図１】
2018021739.tif 000003
【図２】
2018021739.tif 000004
【図３】
2018021739.tif 000005
【図４】
2018021739.tif 000006
【図５】
2018021739.tif 000007
【図６】
2018021739.tif 000008
【図７】
2018021739.tif 000009